(57)【要約】【課題】動物の全身を満遍なく洗浄するペット洗浄装置を提供する。また、動物に手を加えることなく動物に不快感を与えることのないペット洗浄装置を提供する。さらに、洗浄から乾燥まで一連の洗浄が行えるペット洗浄装置を提供する。【解決手段】動物が搭載される台座１２と、水平軸を中心としてこの台座１２の周りを回転する筒状のシャワー部材１１と、このシャワー部材１１の内面に設けられたノズル１４と、このノズル１４に動物洗浄用の液体およびまたは乾燥用の気体を供給する供給手段１５とを備えたペット洗浄装置１０である。この結果、動物の全身を満遍なく洗浄できる。【選択図】        図１
2005000013.tif 000002
【特許請求の範囲】
【請求項１】
動物を載せる台座と、
水平軸を中心としてこの台座の周りを回転するシャワー部材と、
このシャワー部材に設けられ、台座に向かって動物洗浄用の液体およびまたは乾燥用の気体を噴出するノズルと、
このノズルに動物洗浄用の液体およびまたは乾燥用の気体を供給する供給手段とを備えたペット洗浄装置。
【請求項２】
上記供給手段は、上記液体の温度およびまたは上記気体の温度を調整可能とした請求項１に記載のペット洗浄装置。
【請求項３】
上記シャワー部材は、回転しながら、水平軸の軸方向に往復動する請求項１または請求項２に記載のペット洗浄装置。
【発明の詳細な説明】
【０００１】
【発明の属する技術分野】
この発明はペット洗浄装置、詳しくはペットなど小動物を洗浄・乾燥するためのペット洗浄装置に関する。
【０００２】
【従来の技術】
ペットや動物園に飼育されている動物を洗浄するために、さまざまな発明がなされている。例えば、動物を洗浄容器内に収容して、洗浄を行うペット洗浄装置が開示されている（特許文献１参照）。このペット洗浄装置には、開閉自在な収容部と、収容部のなかに動物を固定する台座を有している。台座の上面には、メッシュ状台板が設けられており、このメッシュ状台板の下方には、上方に向かって、すなわち動物に向かって、動物洗浄用の液体を供給するシャワー装置を備えている。このシャワー装置からメッシュ（透孔）を通して、動物に向かってシャワー水が動物に向かって噴出される。
【０００３】
【特許文献１】特開２００３−４７３５７号公報
【０００４】
【発明が解決しようとする課題】
しかしながら、上記ペット洗浄装置には、シャワーの噴出位置が動物の下方に設けてある。このため、噴出された洗浄水は、動物の下部に向けて噴出される。動物の上方には動物に向けて噴出するシャワーを備えていない。したがって、動物の上方に直接、洗浄水を当てて洗浄できないという問題点を有していた。また、このシャワーは、垂直軸を中心に回転し、シャワー水が下方から吹き上げるように噴出される。しかし、洗浄液の吹き上げ噴出は、動物の下部に局所的に強い刺激を与えるものであり、ひいては動物に不快感を与える。
【０００５】
【発明の目的】
この発明は、動物の全身を満遍なく洗浄することができるペット洗浄装置を提供することを目的とする。また、動物に手を加えることなく動物に不快感を与えることのないペット洗浄装置を提供することを目的とする。さらに、洗浄から乾燥まで一連の洗浄処理が行えるペット洗浄装置を提供することを目的とする。
【０００６】
【課題を解決するための手段】
請求項１に記載の発明は、動物を載せる台座と、水平軸を中心としてこの台座の周りを回転するシャワー部材と、このシャワー部材に設けられ、台座に向かって動物洗浄用の液体およびまたは乾燥用の気体を噴出するノズルと、このノズルに動物洗浄用の液体およびまたは乾燥用の気体を供給する供給手段とを備えたペット洗浄装置である。
【０００７】
動物を搭載する台座は、収容箱を設けて、この収容箱の中に設置してもよい。または、例えば構造物の一部など固定部材に台座の水平軸を連結して、台座の周りは開放的な空間にしてもよい。
台座の形状は限定されない。台座は、動物の大きさに応じて、その大きさを変更可能にすることができる。例えば、台座を水平で平行な２本の長板で構成する。一方の長板に動物の左側の前後の足を載せる。右側の前後の足を他方の長板に載せる。載せる動物の大きさに応じて、２本の長板の間の距離を変えるようする。
台座に搭載された動物が静止するように、台座の長板に設けたベルトや伸縮自在のゴムなどで動物の足を固定することができる。または、台座と動物の首輪とを紐で連結して固定してもよい。台座の長板には、動物の足裏も洗浄できるように、例えば、複数の貫通孔を形成することができる。
この台座の周りを水平軸を中心にして回転し、台座に搭載された動物に向かって洗浄用の液体および乾燥用の気体を噴出する例えば中空の箱からなるシャワー部材を設ける。このシャワー部材の形状は、限定されない。例えば、中空の直方体や筒状体であってもよい。または、動物に開放的な空間を与えるために、箱体ではなく棒状材により枠状またはコ型の形状に形成してもよい。シャワー部材の素材は、限定されない。耐水性、耐塩水性を有し、軽量で剛性を有する素材であればよい。シャワー部材は、例えば、収容箱の側壁に固定された水平軸により回転自在に支持される。
このシャワー部材を回転するために、回転手段をシャワー部材に設ける。この回転手段としては、モータによる自動式の回転手段であってもよいし、回転自在なレバーを設けた手動式のものとしてもよい。モータは、正逆回転および回転速度調整機能を有するものを使用する。例えば、ＤＣモータ、ステッピングモータを使用する。ＤＣモータの場合は、スイッチ回路を用いてモータに入力する電流の極性の切り換えを行い、正逆回転を制御する。ステッピングモータの場合も、モータの電極に与えるパルス信号の制御により、正逆回転を制御する。
シャワー部材の内面には、台座に固定された動物に向かって動物洗浄用の液体およびまたは乾燥用の気体を噴出するノズルを形成する。このノズルは細孔である。細孔よりさらに微小な孔を複数設けて、霧吹き状に噴出するノズルにしてもよい。または、これらを併設してもよい。
動物を洗浄する動物洗浄用の液体などは、その供給源を含む供給手段からシャワー部材に供給される。
【０００８】
請求項２に記載の発明は、上記供給手段は、上記液体の温度およびまたは上記気体の温度を調整可能とした請求項１に記載のペット洗浄装置である。
動物に噴出する動物洗浄用の液体などは、供給手段からシャワー部材に供給される。動物洗浄用の液体をシャワー部材に供給する供給手段は、例えば、ポンプまたはタンクにヒーターを設けて構成することができる。また、乾燥用の気体をシャワー部材に供給する供給手段では、例えば、コンプレッサーまたはファンにヒーターを配設、内蔵して構成する。動物洗浄用の液体および乾燥用の気体の温度調節は、これらヒーターによって行われる。また、例えば、タンクおよびファンには開閉弁をそれぞれ備えており、これらの開閉弁の切り換えにより、動物洗浄用の液体と乾燥用の気体との供給の切り換えを行う。
【０００９】
請求項３に記載の発明は、上記シャワー部材は、回転しながら、水平軸の軸方向に往復動する請求項１または請求項２に記載のペット洗浄装置である。
シャワー部材は、動物に対して回転しながら水平軸の軸方向に往復動する。シャワー部材を往復動させるために、例えば、モータの出力軸とシャワー部材との間に、モータの回転を回転動／往復動に変換するウオームギアなどからなる機構を介在させる。
【００１０】
【作用】
請求項１に記載のペット洗浄装置にあっては、動物を台座に載せて、例えば、台座のベルトやゴムバンドで動物の体または足を台座に固定する。次に、例えばモータの電源をＯＮにして、この台座を取り囲むシャワー部材を、水平軸を中心として所定速度で回転させる。
回転するシャワー部材は、その回転半径方向の内方に向かって、動物洗浄用の液体などを噴出する細孔のノズルを備えている。そこで、この回転と同時に供給手段から動物洗浄用の液体など所定圧力でシャワー部材に供給する。すると、その圧力により、ノズルから勢いよく動物洗浄用の液体などを動物に向かって噴出する。
また、シャワー部材は、液体を噴出しながら台座に載せた動物の周りを水平軸回りに所定回転速度で所定時間だけ回転する。これにより、動物の全身を満遍なく洗浄できる。洗浄終了後は、乾燥用の気体を回転するシャワー部材に供給し、動物を乾燥させる。よって、人間が動物に直接手を加えることなく、洗浄から乾燥までの一連の処理が行える。
シャワー部材は、例えば、枠状の形態を有することができ、この場合は動物にとって開放感のある空間で洗浄できる。また、シャワー部材が回転することにより、腹を含む動物の全身を満遍なく洗浄することができ、動物洗浄用の液体を局所的に噴出して動物に不快感を与えることもない。また、当然に液体・気体の噴出速度、噴出量は適宜調整するものとする。
【００１１】
請求項２に記載のペット洗浄装置にあっては、供給手段において上記液体の温度および上記気体の温度を調整する。これにより、冬の寒いときにも動物洗浄用の温かい液体および乾燥用の温かい気体を用いて、動物を洗浄し乾燥することが可能である。また、液温、気体温度は、その洗浄時間、乾燥時間に応じて変更可能である。
【００１２】
請求項３に記載のペット洗浄装置にあっては、シャワー部材は、回転および軸方向に往復動しながら、動物にむかって動物洗浄用の液体などをノズルから噴出する。これにより、シャワー部材が往復動しないとき、動物に当てられなかった箇所にも動物洗浄用の液体などを噴出することができる。これにより、動物の全身をさらに満遍なく洗浄および乾燥できる。したがって、動物の周りに多数のノズルを設ける必要がない。
【００１３】
【発明の実施の形態】
以下、この発明の一実施形態を図１〜図７を参照して説明する。
本実施形態に係るペット洗浄装置１０は、図１に示すように、動物を収容する大略直方体形状の収容箱４０と、この収容箱４０の中に設けられ、動物を載せる台座１２と、この動物に動物洗浄用の液体などを噴射するシャワー部材１１とを備えている。
収容箱４０は、上蓋２１と、４枚の側壁２２と、底板２３とで箱形に構成されている。上蓋２１は側壁２２上端と蝶番２５で連結され、収容箱４０の上面を開閉可能に設けられている。２６は上蓋２１の上面に設けられた把手であり、この把手２６を掴んで上蓋２１を上方に開けることができる。収容箱４０の底板２３は、大略矩形であって、その周縁部からその中央部に向かって、徐々に低くなるよう下方に向かって所定角度傾斜している。そして、この底板２３の中央部（最も低い部分）には、動物洗浄用の液体などを収容箱４０の外部に排出する排出口２４が設けられている。
収容箱４０の内部には、上記台座１２が、両側壁２２にそれぞれ水平に突設された一対の支軸を介してその両端が支持されて吊り下げられている。
また、この台座１２の水平な両端支軸に、所定幅の板材からなる四角形の枠体であるシャワー部材１１が回転自在に支持されている。シャワー部材１１は、一対の水平な軸１６を中心として、台座１２の周囲を回転する構造である。
また、シャワー部材１１の枠構成材（軸方向に延びる部分）には、その長さ方向に沿って、複数のノズル（噴出口）１４が所定間隔で形成されている。すなわち、枠構成材にはその延在方向に沿って流体の通路が形成され、この通路は枠構成材により四角形の循環通路を構成し、その循環通路に上記複数のノズルが所定間隔でその回転軸方向に向かって流体を噴出可能に配設されている。各ノズル１４には、枠構成材の内部通路を介して流体（液体または気体）が供給されるように構成されている。
収容箱４０の外部で底板２３の延長部分上には、シャワー部材１１を回転駆動するためのモータ１３が固設されている。このモータ１３の出力軸先端には、シャワー部材１１を回転させるためのスプラインシャフト３２が連結されている。すなわち、このスプラインシャフト３２は上記水平な軸の一方を構成している。同軸の水平軸１６およびスプラインシャフト３２により矩形枠であるシャワー部材１１は回転自在に支持されている。
また、底板２３の延長部分の上には、シャワー部材１１の各ノズル１４に動物洗浄用の液体または乾燥用の気体を切り換えて供給する供給手段（タンク等）１５が配設されている。この供給手段１５のタンクと上記シャワー部材１１の内部通路とは、ホース１９で連結されている。
【００１４】
また、図１，図２に示すように、収容箱４０の一方の側壁２２の中央部には、略水平な水平軸１６が突設されている。この水平軸１６およびこれと同軸で対向側壁に水平に支持されたスプラインシャフト３２とから、略三角形状に（所定の角度で開いて）支持部材１７ａ、１７ｂがそれぞれ垂下されている。これらの支持部材１７ａ、１７ｂの各下端（所定距離離間している）には、略水平に平行に延びる２本の長板６１，６２の両端がそれぞれ固定されている。この２本の長板６１，６２の両端には、第１の長板固定部材６３と、第２の長板固定部材６４とがそれぞれ連結されている。長板６１，６２と、第１の長板固定部材６３と、第２の長板固定部材６４とで平面視して矩形枠状の台座１２が形成される。
また、第１の長板固定部材６３および第２の長板固定部材６４は、それぞれの両端が上記各対の支持部材１７ａ、１７ｂの下端にピン６５により回動自在にそれぞれ支持されている。なお、支持部材１７ａ、１７ｂの各上端は、水平軸１６およびスプラインシャフト３２に挿通されている。
ここで、第２の長板固定部材６４の先端部は、第１の長板固定部材６３の中空部に出し入れ自在に収納されている。これにより、長板６１，６２は、略水平に保持されている。
また、図３に示すように、第１の長板固定部材６３の上板部には、複数の係止孔６６が設けられている。第２の長板固定部材６４の先端部には、その上面に凹部が形成され、この凹部に板ばね６７が設けられている。この板ばね６７が、第１の長板固定部材６３の掛止孔６６に挿入されるとともに、第２の長板固定部材６４が第１の長板固定部材６３に掛止される。板ばね６７の位置と、複数の係止孔６６の位置とは調整可能であり、これにより三角形の底辺の長さを調整することができる。すなわち、第１の長板固定部材６３に対して、第２の長板固定部材６４とは略水平に往復動し、支持部材１７ａ、１７ｂは水平軸１６およびスプラインシャフト３２を中心に回動する。このようにして、長板６１と長板６２との距離を変更することにより、搭載する動物の大きさに応じた大きさの台座１２とすることができる。
また、長板６１，６２には、動物を固定するベルト３６が設けられている。さらに、長板６１，６２には、動物の足裏に動物洗浄用の液体を直接当てて洗浄できるように複数の貫通孔３８が設けられている。
【００１５】
次に、図４に示すように、シャワー部材１１の形状は、大略矩形の枠状に形成されている。シャワー部材１１の枠構成材は、耐水性、耐塩水性の素材で形成されている。シャワー部材１１の一方の短辺材の中央部に孔３５が設けられ、この孔３５には収容箱４０の側壁２２から横設された水平軸１６が挿通されている。孔３５には、ラジアル軸受け３１が配設され、この軸受け３１を介してシャワー部材１１は回転自在に固定の水平軸１６に支持されている。この軸受け３１は、シャワー部材の回転および軸方向移動を支持する軸受けであれば良く、例えば気体軸受けでも良い。
一方、シャワー部材１１の他方の短辺材の中央部には、スプラインシャフト３２がスプライン結合されている。スプラインシャフト３２は、台座１２から立設された支持棒１７ａ、１７ｂの孔３９に挿通されている。支持棒１７ａ，１７ｂの孔３９には軸受け３７ａが固設され、この軸受け３７ａを介してスプラインシャフト３２には支持棒１７ａ，１７ｂが回転自在に支持されている。この結果、スプラインシャフト３２は、回転しながらも、台座１２を常時略水平状態に支持することとなる。これにより、図５に示すように、シャワー部材１１は、水平軸１６およびスプラインシャフト３２を中心に、動物を載せた台座１２の周りを回転することができる。
【００１６】
図４に示すように、シャワー部材１１の回転軸であるスプライン軸３２の突出端には、シャワー部材１１を回転させるモータ１３の出力軸の先端が連結されている。このモータ１３は、収容箱４０の外部の底板２３上に立設される。このモータ１３は、正逆回転可能でかつ回転数調整が可能に構成されている。この実施例に係るシャワー部材１１は、特に高速回転を要しないので、低廉の市販モータを使用してもよい。
図６（ａ）に示すように、モータ１３のシャフト２７の先端には、円筒ウォーム３０が設けられている。円筒ウォーム３０の外周面には、螺旋状の溝が形成されている。また、円筒ウォーム３０の周りには、この円筒ウォーム３０の回転をシャワー部材１１のスプライン軸３２の回転に変換する筒状のギア受け材２８が設けられている。このギア受け材２８には、上記スプラインシャフト３２が直結されている。ギア受け材２８の内周部の開口部付近には、係合用突起２９が内側に向かって突出して設けられている。この係合用突起２９は、円筒ウォーム３０の溝に係合されている。
側壁２２には、スプラインシャフト３２を回転自在に支持する軸受け３７ｂが設けられている。また、この軸受け３７ｂはスプライン軸３２の軸方向の移動とその回転とを支持することとなる。例えば公知のジャーナル軸受けや気体軸受けで構成することもできる。
【００１７】
図４に示すように、シャワー部材１１の各枠構成材は、上述したように、中空材で形成されている。この中空部分（通路）に、収容箱４０の外部に配設した供給手段１５のタンクなどから動物洗浄用の液体、乾燥用の気体などが供給される。この動物洗浄用の液体などを供給するため、円環状の注入口３３がシャワー部材１１のモータ１３側の短辺材から突出してボス状に設けられている。この注入口３３は、シャワー部材１１の上記通路に連通している。
一方、収容箱の側壁２２には、リング状のリング管部材３４が固定されている。このリング管部材３４は、上記シャワー部材１１の注入口３３の形成部分であるボス部に嵌合されている。なお、これらのシールはシール部材を特に設ける必要はないが、公知のシール構造でシールしてもよい。また、リング管部材３４は、上記供給手段１５のタンクにホース１９を介して連結されている。この結果、供給手段１５からシャワー部材１１に、シャワー部材１１の回転時にも動物洗浄用の液体などを常時供給することができる。
シャワー部材１１の枠構成材の回転中心に向かった面には、動物洗浄用の液体およびまたは乾燥用の気体を噴出する多数のノズル１４が設けられている。ノズル１４は細孔で形成してある。
【００１８】
図７に示すように、供給手段１５は、動物洗浄用の液体を供給するタンク５１と、乾燥用の気体を供給するファン５２とを有している。タンク５１とファン５２とには、それぞれ開閉弁５４ａ、５４ｂが連結されている。制御部５５からの制御信号により、開閉弁５４ａ、５４ｂの切り換えを行って、シャワー部材１１に動物洗浄用の液体または乾燥気体を切り替えて供給する。また、タンク５１およびファン５２には、動物洗浄用の液体などの温度を調節するヒーター５３が各々設けられている。動物洗浄用の液体などの温度の調節は、制御部５５からの制御信号により、それぞれのヒーター５３の温度を調節して行う。
【００１９】
次に、このペット洗浄装置１０の使用方法を説明する。
まず、収容箱４０の上蓋２１の把手２６により開閉し、動物を挿入する。図４に示すように、挿入した動物は、台座１２の上に載せる。長板６２に動物の左側の前後の足を載せる。右側の前後の足を長板６１に載せる。動物が静止するように、台座１２に設けたベルト３６またはゴムバンドで動物の足を固定する。
【００２０】
そして、図６（ａ）に示すように、モータ１３のスイッチをＯＮにして、モータ１３を回転する。モータ１３は、動物に不快感を与えないような回転数で正転・駆動する。モータ１３を駆動すると、シャフト２７の先端に連結した円筒ウォーム３０が回転する。ギア受け材２８に設けている係合用突起２９は、円筒ウォーム３０の螺旋状の溝に係合されているため、係合用突起２９は、円筒ウォーム３０の回転により、この円筒ウォーム３０の螺旋状の溝を滑動する。これに伴い、ギア受け材２８は、モータ１３のシャフト回転とは逆に回転しながらＸ方向に押し出される。このギア受け材２８の回転移動に伴い、これに直結しているスプラインシャフト３２およびシャワー部材１１は回転しながら矢印Ｘ方向に押し出される。
次に、モータ１３のシャフトを逆転する。図６（ｂ）に示すように、係合用突起２９は、円筒ウォーム３０の螺旋状の溝に係合された最初の位置まで戻される。そして、ギア受け材２８は、回転しながらＹ方向に引き込まれる。ギア受け材２８の引き込みにより、シャワー部材１１も最初の位置まで戻される。
このように、モータ１３のシャフトを正転および逆転することにより、シャワー部材１１は回転しながら、回転軸の軸方向に往復動することができる。
【００２１】
このモータの駆動と同時に、収容箱４０の外部のタンク１５等から、ホース１９を通して、動物洗浄用の液体などをシャワー部材１１に供給する。図６（ａ）、図６（ｂ）に示すように、シャワー部材１１は、回転しながら、回転軸の軸方向に往復動する。シャワー部材１１を往復動しても、リング管部材３４は注入口３３に嵌合された状態である。これにより、回転しながらでも回転軸の軸方向に往復動するシャワー部材１１に、動物洗浄用の液体などを供給できる。
そして、シャワー部材１１は中空の通路になっており、この通路に動物洗浄用の液体が供給される。シャワー部材１１の内面には、細孔のノズル１４が設けられている。このため、動物洗浄用の液体などをシャワー部材１１に供給すると、その供給手段１５の圧力により、ノズル１４から動物洗浄用の液体などを勢いよく動物に噴出する。
【００２２】
シャワー部材１１は回転しながら軸方向に移動するため、動物の全身周りに満遍なく動物洗浄用の液体などを噴出することができる。このとき、台座１２の両長板６１，６２の間には、空間部が形成されている。この空間部を通して、シャワー部材１１のノズル１４から動物洗浄用の液体が、動物の腹部に向けて噴出される。さらに、長板６１，６２には、複数の貫通孔３８を設けている。この貫通孔３８を通して、動物の足裏にも液体を直接当てて洗浄することができる。これにより、汚れが目立つ動物の足裏や腹部にも動物洗浄用の液体を噴出することができる。
また、シャワー部材１１は、回転しながら、回転軸の軸方向にも移動できるようになっている。この結果、シャワー部材１１が往復動しないとき、動物に当てられなかった箇所にも動物洗浄用の液体などを噴出することができる。
【００２３】
また、本実施形態に係るペット洗浄装置１０は、一連の動物の洗浄処理を行うことができる。
まず、洗剤を含まない液体を供給手段１５からシャワー部材１１に供給して、この液体により動物を水洗いする。
次に、供給手段１５からシャワー部材１１に洗剤を含有する動物洗浄用の液体を供給する。この液体により、動物の全身の汚れを落とす。
再度、洗剤を含まない液体で水洗いをして、動物に付着した洗剤を落とす。
最後に、ファン５２から乾燥用の気体を動物に噴出して、動物の全身を乾燥させる。以上の結果、洗浄から乾燥までの一連の処理が自動的に行える。また、人間が動物に直接手を加えることなく洗浄することができる。
このとき、室温などに対応して供給手段のタンク５１およびファン５２に内蔵されたヒーター５３の温度調節により、動物洗浄用の温かい液体や乾燥用の温かい気体を動物に噴出する。この結果、冬の寒いとき、動物洗浄用の温かい液体で動物を洗浄することができる。また、動物を乾燥するとき、乾燥用の温かい気体により乾燥することができる。動物を乾燥するのに、バスタオルを何枚も準備する必要がない。
【００２４】
【発明の効果】
この発明によれば、動物洗浄用の液体などを噴出しながら、シャワー部材が台座に載せた動物の周りを回転する。この結果、動物の全身を満遍なく洗浄できる。洗浄後は、乾燥用の気体を回転するシャワー部材が噴出し、動物を乾燥させる。よって、人間が動物に直接手を加えることなく、洗浄から乾燥までの一連の処理が行える。また、局所的に洗浄液などを噴出して動物に不快感を与えることもない。
さらに、動物洗浄用の液体およびまたは乾燥用の気体の温度調節を行うことができる。これにより、寒冷時にも動物洗浄用の温かい液体や乾燥用の温かい気体を動物に噴出して洗浄が行える。
さらに、シャワー部材が回転するとともに、往復動しながら動物の全身に動物洗浄用の液体などが噴出される。この結果、シャワー部材が往復動しないとき、動物に当てられなかった箇所にも動物洗浄用の液体などを噴出することができる。
【図面の簡単な説明】
【図１】この発明の一実施形態に係るペット洗浄装置の全体構成を示す斜視図である。
【図２】この発明の一実施形態に係るペット洗浄装置の台座を示す斜視図である。
【図３】この発明の一実施形態に係るペット洗浄装置の台座の一部を示す正面図である。
【図４】この発明の一実施形態に係るペット洗浄装置にてイヌを搭載した状態を示す縦断面図である。
【図５】この発明の一実施形態に係るペット洗浄装置にてイヌを搭載した状態を示す側面図である。
【図６】図４のＡ部の拡大図であり、（ａ）はシャワー部材が軸方向に押し出された状態の断面図、（ｂ）はシャワー部材が軸方向に引き戻された状態の断面図である。
【図７】この発明の一実施形態に係る供給手段の構成を示すシステムブロック図である。
【符号の説明】
１０  ペット洗浄装置、
１１  シャワー部材、
１２  台座、
１３  モータ（回転手段）、
１４  ノズル、
１５  供給手段。
【図１】
2005000013.tif 000003
【図２】
2005000013.tif 000004
【図３】
2005000013.tif 000005
【図４】
2005000013.tif 000006
【図５】
2005000013.tif 000007
【図６】
2005000013.tif 000008
【図７】
2005000013.tif 000009